(57)【要約】【課題】買い物の時間を利用して電気機器への充電を行う顧客は、買い物中に電気機器への充電がどの程度進行しているか把握することができず、買い物に集中できないという問題があった。【解決手段】商品に対応付けられた商品コードを入力する入力部と、この入力部により入力された商品コードに基づいて一取引の取引データを生成する生成手段と、電気機器に対する充電状況を示す充電情報を取得する情報取得部と、前記充電情報の取得の有無を判定する取得判定手段と、この取得判定手段で前記充電情報を取得したと判定した場合、前記生成手段で生成された前記一取引の取引データ及び前記情報取得部で取得した充電情報を出力する出力手段と、を備える。【選択図】図５
2013205863.tif 000002
【特許請求の範囲】
【請求項１】
商品に対応付けられた商品コードを入力する入力部と、
この入力部により入力された商品コードに基づいて一取引の取引データを生成する生成手段と、
電気機器に対する充電状況を示す充電情報を取得する情報取得部と、
前記充電情報の取得の有無を判定する取得判定手段と、
この取得判定手段で前記充電情報を取得したと判定した場合、前記生成手段で生成された前記一取引の取引データ及び前記情報取得部で取得した充電情報を出力する出力手段と、
を備えることを特徴とする商品販売データ処理装置。
【請求項２】
前記出力手段は、前記受信判定手段で前記充電情報を取得しないと判定した場合、前記生成手段で生成された前記一取引の取引データを出力することを特徴とする請求項１記載の商品販売データ処理装置。
【請求項３】
前記出力手段が出力する充電情報は、前記電気機器の充電前のバッテリ残量及び充電後のバッテリ残量であることを特徴とする請求項２記載の商品販売データ処理装置。
【請求項４】
前記出力手段は、レシートを発行するプリンタであることを特徴とする請求項１乃至３のいずれかに記載の商品販売データ処理装置。
【発明の詳細な説明】
【技術分野】
【０００１】
本発明の実施形態は、バッテリ充電を必要とする電気機器の充電状況を通知する商品販売データ処理装置に関する。
【背景技術】
【０００２】
バッテリを搭載した電気機器は、世の中に広く知られている。この一例として、近年、地球環境負荷の低減を図るために、電気自動車が広く普及している。電気自動車が走行するためには、充電スタンドにて電気自動車に搭載されたバッテリに充電を行う必要がある。
【０００３】
ところで、上述した充電スタンドは、ショッピングセンターや大型スーパーに併設するガソリンスタンドやサービスエリアに設置されていることが多い。ショッピングセンターや大型スーパーに来店する顧客は、店舗で買い物を行うと共に買い物時間を利用して併設する充電スタンドにて電気自動車の充電を行うことが想定される。
【０００４】
一般的に、電気機器への充電が完了するには少なからず時間を要するため、顧客は、まず電気自動車（電気機器）への充電を行うための設定を行った後、店舗で買い物を行い、ある程度の時間が経過して買い物が終了し、充電を行っている電気自動車（電気機器）の元に戻ることとなる。なお、上記した事項は電気自動車に限られるものではなく、他の電気機器への充電を行う場合（例えば、携帯電話へ充電を行う場合）も、顧客は買い物時間を利用して充電を行う行動をとることが多い。
【先行技術文献】
【特許文献】
【０００５】
【特許文献１】特開２００１−７６２５６号公報
【発明の概要】
【発明が解決しようとする課題】
【０００６】
しかしながら、上記の状況において、顧客は買い物中に電気機器への充電がどの程度進行しているか把握することができず、買い物に集中できないという問題があった。
【課題を解決するための手段】
【０００７】
本実施形態の商品販売データ処理装置は、商品に対応付けられた商品コードを入力する入力部と、この入力部により入力された商品コードに基づいて一取引の取引データを生成する生成手段と、電気機器に対する充電状況を示す充電情報を取得する情報取得部と、前記充電情報の取得の有無を判定する取得判定手段と、この取得判定手段で前記充電情報を取得したと判定した場合、前記生成手段で生成された前記一取引の取引データ及び前記情報取得部で取得した充電情報を出力する出力手段と、を備える。
【図面の簡単な説明】
【０００８】
【図１】本実施形態の残量管理システムの全体構成およびＰＯＳ端末の要部構成を示すブロック図。
【図２】本実施形態の充電スタンドの要部構成を示すブロック図
【図３】本実施形態のメモリのデータ構造を示すブロック図。
【図４】本実施形態の充電スタンドのＣＰＵが実行する商品登録処理に関する処理の流れを示すフローチャート。
【図５】本実施形態のＰＯＳ端末のＣＰＵが実行する商品登録処理に関する処理の流れを示すフローチャート。
【図６（ａ）】本実施形態の第１の印字フォーマットで印字されるレシートを示す図。
【図６（ｂ）】本実施形態の第２の印字フォーマットで印字されるレシートを示す図。
【発明を実施するための形態】
【０００９】
以下、添付図面を参照して、本発明の実施形態に係る残量管理システムおよび商品販売データ処理装置を詳細に説明する。なお、本実施形態では、充電スタンド３０として電気自動車用充電機を、商品販売データ処理装置としてＰＯＳ端末をそれぞれ例として説明する。
【００１０】
図１は残量管理システム１の全体構成およびＰＯＳ端末の電気的接続を示すブロック図である。残量管理システム１は、無線ＬＡＮ５０に接続されたウェブサーバ３０とＰＯＳ（Ｐｏｉｎｔ−Ｏｆ−Ｓａｌｅｓ）端末１０とこのＰＯＳ端末１０に通信可能に接続されたサーバ２０を主体に構成される。
【００１１】
ＰＯＳ端末１０は、店舗のレジカウンタに複数台の設置されるものである。ストアコンピュータ２０は、ＰＯＳ端末１０に有線ＬＡＮ１１４でデータ送受信可能にネットワーク接続される。なお、ＰＯＳ端末１０とサーバ（ストアコンピュータ）２０とは無線ＬＡＮで通信可能に接続されていてもよい。
【００１２】
図１において、ＰＯＳ端末１０は、制御部本体としてＣＰＵ（Central Processing Unit）１０１が実装されている。このＣＰＵ１０１に、アドレスバス，データバス等のバスライン１０５を介して、ＲＯＭ（Read Only Memory）１０２及びＲＡＭ（Random Access Memory）１０３のメモリ部、ＨＤＤ（Hard Disk Drive）１０４、後述する各入出力機器１０７〜１１２とのインターフェイス部（I/F）１０６、サーバであるストアコンピュータ２０との間のデータ通信を制御する通信コントローラ１１３等が接続される。また、通信コントローラ１１３は充電スタンド３０との通信も制御する。
【００１３】
以下に、入出力機器の説明をする。プリンタ１０７は、所謂出力部であり、ＣＰＵ１０１の制御により、１取引で販売された商品の品名，価格や合計金額等の取引明細データが印字されたレシートを発行する。
【００１４】
キーボード１０８は、外部からの入力を受け付ける入力部の一部であり、数値データを置数するための「００」および「０」〜「９」の置数キー、この置数キーによって置数された数値データがＰＬＵ（Price Look Up）コードであることを指令するＰＬＵキー、数値データが乗数であることを指令する×キー、数値データが割引率であることを指令する割引キー、数値データが値引額であることを指令する値引キー、数値データのクリア等を指令するクリアキー、１取引の小計出力を指令する小計キー、１取引の現金締めを指令する預／現計キー、販売商品をポイント計算から除外することを宣言する除外キー等を有する。
【００１５】
スキャナ１０９は、同様に入力部の一部であり、各商品に付されたバーコードを読取るものである。各商品には、その商品固有の商品コードを示すバーコードが付されている。ここに、スキャナ１０９は、商品識別データの入力手段として機能する。なお、例えば、バーコードが付されていない商品の商品コードは、ＰＬＵコードとしてキーボード１０８の置数キーとＰＬＵキーとにより入力することもできる。
【００１６】
カードリーダ１１０は、会員カードに記録された顧客コードを含むカードデータを読取る。また、会員カードに記憶されている電気自動車に関する種々の情報も読み取る。なお、カードリーダ１１０が読み取る対象はクレジットカード等であってもよい。
【００１７】
ディスプレイ１１１は、ＰＯＳ端末１０のオペレータに対し、１取引として販売される商品の品名，価格や合計金額等を表示する。また、客用表示器１１２は、この１取引の顧客に対してディスプレイ１１１と同様の情報を表示する。また、電気機器のバッテリ残量を表示させてもよい。
【００１８】
また、ＰＯＳ端末１０は、ＨＤＤ１０４を有する。ＨＤＤ１０４は、商品マスタファイル等を記憶する。商品マスタファイルは、商品毎に設定された商品識別データである固有の商品コードに、その部門コード、商品の名称（品名）やその商品一点あたりの価格である単価、が対応付けて記憶されている。
【００１９】
図３は、ＲＡＭ１０３に形成されているデータテーブル１０３１を示す図である。データテーブル１０３１は、会員カードから読み込まれた各種情報を記憶するものである。記憶する情報として、顧客一人一人に割り当てられた会員ＩＤ、及び電気自動車を充電しているか否かを示す充電有無フラグ、電気自動車の充電を開始した時刻を示す充電開始時刻情報、充電開始時のバッテリ残量値などの情報をそれぞれ記憶するメモリエリアが形成されている。なお、このメモリエリアは初期値として値“０”が設定されている。
【００２０】
図２は、電気自動車用充電機を備える充電スタンド３０の電気的接続を示す図である。充電スタンド３０は、電気自動車用の充電機を備えており、例えば、ガソリンスタンド等に設置されている。
【００２１】
充電スタンド３０は、制御部本体としてＣＰＵ３０１が実装されている。このＣＰＵ３０１に、アドレスバス，データバス等のバスライン３０６を介して、ＲＯＭ３０２及びＲＡＭ３０３のメモリ部、各入出力機器３０７〜３１１とのインターフェイス部（I/F）３０６、無線ＬＡＮ５０に接続してＰＯＳ端末１０とのデータ通信を制御する通信コントローラ３１２等が接続される。
【００２２】
ＲＯＭ３０２は、固定データを固定的に記憶する。ＲＡＭ３０３は、可変データを書き換え自在に記憶してワークエリアとして使用される。ＲＡＭ３０３には、カードリーダ３０９を介して会員カードから読み取りが実行された会員ＩＤが記憶される。また、同様に充電機に接続されて充電が行われている電気自動車の車種、型番等が会員カードから読み取られてＲＡＭ３０２に記憶する。さらに、充電が行われている電気自動車の充電開始前の蓄電量（バッテリ残量値）を、充電機（充電スタンド３０）を介して取得し、ＲＡＭ３０２に記憶する。
【００２３】
プリンタ３０７は、後述する駐車料金のレシートや領収書を印字発行する。
【００２４】
キーボード３０８は、操作者からの各種入力を受け付ける。また、キーボード３０８には、図示しない領収書発行キーが設けられており、この領収書発行キーが押された場合、領収書が発行される。カードリーダ３０９は、ＣＰＵなどの命令に応じて、会員カードからこの会員カードに記憶されている各種情報を読み取る。ディスプレイ３１０は、駐車料金や支払金額等を表示する。
【００２５】
図４は、電気用自動車の充電スタンド３０のＣＰＵ３０１が実行する処理の流れを示すフローチャートである。
【００２６】
まず、以下の説明では、顧客にて電気自動車に充電を開始する際に会員カードを翳して会員情報を確認した後、電気自動車への充電開始が行なわれることを前提している。
【００２７】
充電スタンド３０のＣＰＵ３０１は、会員カードがカードリーダ３０９に翳されることを待機する（Ａｃｔ４０１）。会員カードがカードリーダ３０９に翳されたことを検知すると（Ａｃｔ４０１のＹ）、この翳された会員カードに記憶されている会員ＩＤや車に関する各種情報を読み取る（Ａｃｔ４０２）。車に関する各種情報は、予め会員カードに登録された電気自動車の車種、型番等である。
【００２８】
ＣＰＵ３０１は、充電スタンド３０に備えられた図示しない電気自動車用充電機から、電気自動車への充電を行なう準備が完了された旨の信号を待機する（Ａｃｔ４０３）
【００２９】
次に、ＣＰＵ３０１は、電気自動車用充電機から電気自動車への充電を行なう準備が完了された旨の信号を受信すると（Ａｃｔ４０３のＹ）、充電スタンド３０に備えられた図示しない電気自動車用充電機から電気自動車の充電前のバッテリ残量値を取得する（Ａｃｔ４０４）。次に、ＣＰＵ３０１は、充電を開始した充電開始時刻を取得する（Ａｃｔ４０５）。
【００３０】
次に、ＣＰＵ３０１は、Ａｃｔ４０２にて取得した会員ＩＤとＡｃｔ４０４、Ａｃｔ４０５にて取得した充電前のバッテリ残量値と充電開始時刻とをそれぞれ対応付けて会員カードに書き込みを行なう（Ａｃｔ４０６）。
【００３１】
Ａｃｔ４０６にて、会員カードに対して会員ＩＤとＡｃｔ４０４、Ａｃｔ４０５にて取得した充電前のバッテリ残量値と充電開始時刻とをそれぞれ対応付けて書き込まれると（Ａｃｔ４０７）、処理を終了する。
【００３２】
図５は、商品販売データ処理の流れを示すフローチャートである。ＣＰＵ１０１は、まずカードリーダ１１０に会員カードが翳されることを待機する（Ａｃｔ５０１）。顧客によりカードリーダ１１０に会員カードが翳されたことを検知すると（Ａｃｔ５０１のＹ）、ＣＰＵ１０１は、会員カードに記憶されている各種情報を読み取る（Ａｃｔ５０２）。ここで、会員カードから読み取る情報は、顧客一人一人に割り当てられた会員ＩＤ、及び電気自動車を充電しているか否かを示す充電有無情報、電気自動車の充電を開始した時刻を示す充電開始時刻情報、充電開始時のバッテリ残量値などを読み取る。また、その他、購入ポイント等を読み取る。
【００３３】
ＣＰＵ１０１は、会員カードから読み取ったこれらの情報をＲＡＭ１０３に一時記憶する。具体的には、会員カードを読み取った場合、ＲＡＭ１０３に形成された会員カードフラグエリアを“０”から“１”にセットする。また、読み取った会員ＩＤを会員ＩＤエリアに記憶する。また、会員カードから充電有りの情報を読み取った場合、充電有無フラグエリアを“０”から“１”にセットする。また、会員カードに充電情報が記憶されている場合、充電開始情報エリアに充電開始の時刻情報を記憶し、バッテリ残量値エリアに充電開始時のバッテリ残量値を記憶する。
【００３４】
次に、ＰＯＳ端末１０のＣＰＵ１０１は、以下の商品販売登録処理を実行する。ＰＯＳ端末１０のＣＰＵ１０１は、キーボード１０８またはスキャナ１０９の入力手段を介して商品コードが入力されることを待機する（Ａｃｔ５０３）。ＣＰＵ１０１は、商品コードが入力されたと判断すると（Ａｃｔ５０３のＹ）、入力された商品コードをＲＡＭ１０３に一時記憶する。そして、この一時記憶された商品コードに対応する商品情報をＨＤＤ１０４の商品マスタファイルから取得する（Ａｃｔ５０４）。
【００３５】
ＣＰＵ１０１は、取得した商品情報をＲＡＭ１０３に一時記憶する。そして、ＣＰＵ１０１は、キーボード１０８の仮締めキーである「小計キー」が押されることを待機する（Ａｃｔ５０５）。ＣＰＵ１０１は、仮締めキーである「小計キー」が押されることなく（Ａｃｔ５０５のＮ）、スキャナ１０９等から商品コードが入力されたことを検知すると（Ａｃｔ５０３のＹ）、Ａｃｔ５０３、Ａｃｔ５０４の処理に移り、これらの処理を実行する。
【００３６】
Ａｃｔ５０５にて、ＣＰＵ１０１は、仮締めキーが押されたと判断すると（Ａｃｔ５０５のＹ）、ＲＡＭ１０３に記憶されている単価等の金額を合計することにより一取引の決済金額を算出する（Ａｃｔ５０６）。基本的には、決済金額は各商品の単価の合計金額となる。なお、値引き金額が含まれている場合は、値引きされた金額が反映された形として決済金額、すなわち一取引の合計金額となる。
【００３７】
ＣＰＵ１０１は、キーボード１０８の「預／現計」と表示された締めキーが押されたことを待機する（Ａｃｔ５０７）。ＣＰＵ１０１は、締めキーが押されたと判断すると（Ａｃｔ５０７のＹ）、会員カードの情報が記憶されているか否かを判断する（Ａｃｔ５０８）。会員カードの情報が記憶されているか否かは、ＲＡＭ１０３に形成されている会員カードフラグを確認することにより行なわれる。ここで、会員カードエリアのフラグが“１”の場合は、会員カード情報有りと判断し、フラグが“０”の場合は、会員カード情報なしと判断する。
【００３８】
Ａｃｔ５０８にて、ＣＰＵ１０１は、ＲＡＭ１０３のメモリテーブル１０３１を参照して会員情報有り（Ａｃｔ５０８のＹ）と判断した場合、次に電気自動車の充電に関する情報があるか否かを判断する（Ａ５０９）。ＲＡＭ１０３のメモリテーブル１０３１の充電有無フラグを参照して電気自動車の充電に関する情報が記憶されていることを示すフラグ“１”がセットされていると電気自動車の充電に関する情報ありと判断して（Ａｃｔ５０９のＹ）、通信インターフェースを介して充電スタンド３０から充電中の電気自動車の現在の充電値を取得する（Ａｃｔ５１０）。次に、ＣＰＵ１０１は、レシートデータを作成する。ここでレシートデータは、一商取引に係る商品購入データを示す取引データの他に、Ａｃｔ５０９にて充電スタンド３０から取得した充電前残量値とＡｃｔ５１０で取得した充電後の現在の充電値情報とを含んだ情報をレシートデータとして作成する（Ａｃｔ５１１）。そして、ＣＰＵ１０１は、プリンタ１０７を動作させることにより、これらのデータを生成されたレシートに印字する（Ａｃｔ５１２）。
【００３９】
図６（ａ）は、顧客により電気自動車の充電が行なわれていると判断された場合に発行されるレシート用紙のイメージを示す図である。ＣＰＵ１０１は、会員情報が記憶されていると判定した場合（Ａｃｔ５０８のＹ）であって、電気自動車への充電を実行していると判断した場合（Ａｃｔ５０９のＹ）、プリンタ１０７を動作させて図６（ａ）に示す第1の印字フォーマットのレシートを印刷発行する。
【００４０】
この場合、印刷発行されるレシートＲＴ１は、図６（ａ）に示すように第１のレシートフォーマットの形式にて、レシートＲＴ１の第1のレシート領域Ｒ１に、取引日時「ＹＹＹＹ年ＭＭ月ＤＤ日」、取引コード「Ｎｏ．０１０００１」が印字される。また、第1のレシート領域Ｒ１には、「商品Ａ」「１点」単価「１，０００円」、「商品Ｂ」「１点」単価「２，０００円」、「商品Ｃ」「１点」単価「８０円」、「商品Ｄ」が「１点」単価「１，５００円」、合計４点、合計「３，０８０円」の印字と、現金「３，１００円」、お釣「２０円」の印字がされる。また、レシートＲＴ１の第２のレシート領域Ｒ２には、自動車の充電状況を示す印字がされる。具体的には、充電前のバッテリ残量（ここでは、２５％を示す棒グラフと２５％なる印字）と充電後（ここでは、８０％を示す棒グラフと８０％なる印字）でのバッテリ残量の双方が印字される。
【００４１】
他方、ＣＰＵ１０１が、図５に示すＡｃｔ５０８にて会員情報がＲＡＭ１０３に記憶されていないと判定された場合（Ａｃｔ５０８のＮ）、または、会員情報はＲＡＭ１０３に記憶されているが（Ａｃｔ５０８のＹ）、充電情報のフラグが“０”となっていて電気自動車の充電は行われていないと判断された場合（Ａｃｔ５０９のＮ）は、Ａｃｔ５１３にて図６（ｂ）に示すレシート用紙のイメージを印刷発行する。
【００４２】
図６（ｂ）は、顧客による電気自動車の充電が行なわれていないと判断された場合に発行されるレシート用紙のイメージを示す図である。Ａｃｔ５０３からＡｃｔ５０７までの締め処理において、顧客が、「商品Ａ」を「１点」、「商品Ｂ」を「１点」、「商品Ｃ」を「１点」、「商品Ｄ」を「１点」、合計４点、合計「３０８０円」の取引を行なったとする。この場合、Ａｃｔ５０８にて、ＣＰＵ１０１は、ＲＡＭ１０３の会員フラグエリアを参照する。会員フラグが“０”である場合、会員ＩＤの情報が記憶されていないと判定し（Ａｃｔ５０８のＮ）、Ａｃｔ５１３の処理に移行して第２の印字フォーマットのレシート用紙ＲＴ２を印字発行する（Ａｃｔ５１３）。
【００４３】
また、Ａｃｔ５０８にて、ＣＰＵ１０１は、ＲＡＭ１０３の会員フラグエリアを参照し、会員フラグが“１”である場合、会員ＩＤの情報が記憶されていると判定し（Ａｃｔ５０８のＹ）、次にＡｃｔ５０９にて充電情報エリアを参照して充電情報フラグが“０”である場合、充電情報がない（すなわち、電気自動車の充電は行なわれていない）と判定し（Ａｃｔ５０９のＮ）、Ａｃｔ５１３の処理に移行して第２の印字フォーマットのレシート用紙ＲＴ２を印字発行する（Ａｃｔ５１３）。
【００４４】
Ａｃｔ５１３にて発行されるレシートＲＴ２は、図６（ｂ）にて示されるレシートイメージとなる。すなわち、第1のレシートフォーマットのレシートとは異なるレシートフォーマットにて印字される。具体的には、第1のレシートフォーマットには存在したレシート領域Ｒ２の充電状況を示す情報（例えば、充電残量表示）などの印字が行なわれないレシートが発行される。したがって、第２のレシートフォーマットで印字されるレシートには、取引の明細情報（商品名、商品の単価、決済金額、預り金額、釣銭金額など）のみが各種印字される。
【００４５】
以上、本実施形態によれば、レシートに電気自動車のバッテリ残量の状況を印字されるので、このレシートを受け取った顧客は目視で現在の電気自動車のバッテリ残量について確認をすることが可能となる。これにより、顧客は、買物を行いながらであっても電気自動車の充電状況を把握することが出来る。
【００４６】
また、レシートには、充電前のバッテリ残量値と充電後の現在のバッテリ残値が併せて印字されるので、充電開始してからどの程度充電完了がされたのかを把握することが出来る。
【００４７】
以上、本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態は、発明の範囲や要旨に含まれるとともに、特許請求の範囲に記載された発明とその均等の範囲に含まれる。
【００４８】
例えば、本実施形態は、レシートに電気自動車などの電子機器のバッテリ残量の状況を印字する形態を示したが、ディスプレイ等の表示器に電子機器のバッテリ残量の状況を表示させてもよい。
【００４９】
例えば、本実施形態は、電気自動車の充電について記載したが、充電対象となる機器としては電気自動車に限られることはなく、例えば、携帯電話などのバッテリを内蔵し、バッテリ充電を必要とする電気機器等に用いられてもよい。
【符号の説明】
【００５０】
１０  ＰＯＳ端末
１０１  ＣＰＵ
１０２  ＲＯＭ
１０３  ＲＡＭ
１０４  ＨＤＤ
２０  サーバ
３０  充電スタンド
【図１】
2013205863.tif 000003
【図２】
2013205863.tif 000004
【図３】
2013205863.tif 000005
【図４】
2013205863.tif 000006
【図５】
2013205863.tif 000007
【図６（ａ）】
2013205863.tif 000008
【図６（ｂ）】
2013205863.tif 000009